(57)【特許請求の範囲】
【請求項１】
端子が保持され、嵌合方向が取付面に直交するように固定されてなる固定側コネクタと、前記端子に接続される相手端子が保持されてなる移動側コネクタが移動可能に取り付けられ、一端縁部に設けられたアーム部を支軸として回動されて前記取付面に固定される板状の取付部材とを有し、該取付部材が前記取付面に固定されることによって前記固定側コネクタと前記移動側コネクタとが嵌合されるコネクタの固定構造において、
前記固定側コネクタとの嵌合部となる移動側コネクタ嵌合部が前記取付部材の取付側の面に対して直交する方向に向くように前記移動側コネクタを係止する係止部と、
前記取付部材が前記取付面に固定される場合、前記取付部材の回動にともなって、前記移動側コネクタが前記係止部によって係止された向きから嵌合方向に向きを漸次変化させるようにガイドする移動ガイド部と、
を有し、
前記係止部は、
前記移動側コネクタの下端縁の一端を中心に該下端縁の他端が回動するように前記一端を引っ掛けて係止する移動小側係止部と、
前記他端に根元が当接されることによって前記移動側コネクタ嵌合部が前記取付側の面に対して直交する方向に向くように前記移動側コネクタを係止し、かつ、前記他端の回動範囲を規制する移動範囲規制爪部が形成された略Ｌ字状に前記取付側の面から突出された移動大側係止部と
を有してなることを特徴とするコネクタの固定構造。
【請求項２】
端子が保持され、嵌合方向が取付面に直交するように固定されてなる固定側コネクタと、前記端子に接続される相手端子が保持されてなる移動側コネクタが移動可能に取り付けられ、一端縁部に設けられたアーム部を支軸として回動されて前記取付面に固定される板状の取付部材とを有し、該取付部材が前記取付面に固定されることによって前記固定側コネクタと前記移動側コネクタとが嵌合されるコネクタの固定構造において、
前記固定側コネクタとの嵌合部となる移動側コネクタ嵌合部が前記取付部材の取付側の面に対して直交する方向に向くように前記移動側コネクタを係止する係止部と、
前記取付部材が前記取付面に固定される場合、前記取付部材の回動にともなって、前記移動側コネクタが前記係止部によって係止された向きから嵌合方向に向きを漸次変化させるようにガイドする移動ガイド部と、
を有し、
前記固定側コネクタは、
前記移動側コネクタ嵌合部を囲うように形成されてなる囲い壁を備えてなる固定側コネクタ嵌合部を有してなり、
前記移動ガイド部は、
前記移動側コネクタ嵌合部の先端側両側部に突起された一対のガイド突起部と、
前記囲い壁のうち前記一対のガイド突起部に向かい合い、かつ前記固定側コネクタ嵌合部の嵌入口よりも高く延出されてなる一対の延出側壁と、
前記一対の延出側壁の各延出側壁に形成され、前記嵌入口に移動されるまでの間に前記移動側コネクタを嵌合方向に向くように前記一対のガイド突起部をガイドする一対のガイド溝部と
を有してなることを特徴とするコネクタの固定構造。
【請求項３】
前記一対のガイド溝部の各ガイド溝部は、
前記嵌入口を拡大するように溝の内縁面を傾斜して形成されてなる傾斜面を有してなり、
前記移動ガイド部は、
前記一対のガイド突起部の各ガイド突起部が前記傾斜面に摺接されることによって前記移動側コネクタを嵌合方向に向くようにガイドする
ことを特徴とする請求項２に記載のコネクタの固定構造。
【請求項４】
前記相手端子は、雌端子であり、
前記端子は、
前記固定側コネクタに保持された雌端子に着脱自在に取り付けされてなる雄端子である  ことを特徴とする請求項１、２または３に記載のコネクタの固定構造。
【請求項５】
端子が保持され、嵌合方向が取付面に直交するように固定されてなる固定側コネクタと、前記端子に接続される相手端子が保持されてなる移動側コネクタが移動可能に取り付けられ、一端縁部に設けられたアーム部を支軸として回動されて前記取付面に固定される板状の取付部材とを有し、該取付部材が前記取付面に固定されることによって前記固定側コネクタと前記移動側コネクタとが嵌合されるコネクタの固定構造において、
前記固定側コネクタとの嵌合部となる移動側コネクタ嵌合部が前記取付部材の取付側の面に対して直交する方向に向くように前記移動側コネクタを係止する係止部と、
前記取付部材が前記取付面に固定される場合、前記取付部材の回動にともなって、前記移動側コネクタが前記係止部によって係止された向きから嵌合方向に向きを漸次変化させるようにガイドする移動ガイド部と、
を有し、
前記係止部は、
前記移動側コネクタの下端縁の一端を中心に該下端縁の他端が回動するように前記一端を係止する第一係止部と、
前記他端の回動にともなって該他端に摺接され前記移動側コネクタが前記嵌合方向に向きを漸次変化するようになだらかな曲面を有する第二係止部と、
を備えることを特徴とするコネクタの固定構造。
【発明の詳細な説明】
【技術分野】
【０００１】
本発明は、固定側コネクタと移動側コネクタとが嵌合されながら取付面に固定されるコネクタの固定構造に関する。
【背景技術】
【０００２】
従来、自動車の前席の天井に配置されたサンバイザーには、照明付きの鏡が設けられるものがある。このような鏡の照明に電気接続を行うため、端子が保持され、嵌合方向が取付面に直交するように固定されてなる固定側コネクタと、端子に接続される相手端子が保持されてなる移動側コネクタが移動可能に取り付けられ、一端縁部に設けられたアーム部を支軸として回動されて取付面に固定される取付部材とを有し、取付部材が取付面に固定されることによって固定側コネクタと移動側コネクタとが嵌合されるコネクタの固定構造が用いられる（例えば、特許文献１参照）。
【０００３】
この特許文献１に記載されたコネクタの固定構造は、開口部の形成されたトリムを挟着してリーンフォースに取り付けられる第一コネクタ（固定側コネクタ）と、第二コネクタ（移動側コネクタ）を有しフックをリーンフォースに引っ掛けて回動させ第二コネクタを第一コネクタに結合してリーンフォースに取り付けられる補機側ブラケット（取付部材）と、を備え、第二コネクタはフック側端部が補機側ブラケットの係止部に回動自在でかつ係止部内をフックに接近する方向で移動可能な仮固定位置にて取り付けされ、フックを回動中心に補機側ブラケットを回動して第二コネクタと第一コネクタを嵌合位置に到達させた後の回動からはフック側端部をフックに接近移動させて第二コネクタの挿入方向を第一コネクタの挿入方向に整合させながら本係止位置に移行させる構成である。
【先行技術文献】
【特許文献】
【０００４】
【特許文献１】特開２０１１−２４３５０５号公報
【発明の概要】
【発明が解決しようとする課題】
【０００５】
しかしながら、特許文献１に記載されたコネクタの固定構造は、移動側コネクタが取付部材を取り付ける際に固定側コネクタに嵌合されやすい向きで係止されるように仮係止部を形成しなければならず、構成が煩雑になる。しかも、嵌合されやすいように移動側コネクタの向きが嵌合方向に対して少ない傾きで係止されるようになっているので、取付部材のアーム部がリーンフォースに組み付けられる際、移動側コネクタが嵌合方向から傾いた状態で無理に嵌合され易く、端子が損傷されてしまうおそれがあった。
【０００６】
本発明は、上記に鑑みてなされたものであって、簡易な構成、かつ端子が損傷されることを防止することができるコネクタの固定構造を提供することを目的とする。
【課題を解決するための手段】
【０００７】
上述した課題を解決し、目的を達成するために、本発明の請求項１に係るコネクタの固定構造は、端子が保持され、嵌合方向が取付面に直交するように固定されてなる固定側コネクタと、前記端子に接続される相手端子が保持されてなる移動側コネクタが移動可能に取り付けられ、一端縁部に設けられたアーム部を支軸として回動されて前記取付面に固定される板状の取付部材とを有し、該取付部材が前記取付面に固定されることによって前記固定側コネクタと前記移動側コネクタとが嵌合されるコネクタの固定構造において、前記固定側コネクタとの嵌合部となる移動側コネクタ嵌合部が前記取付部材の取付側の面に対して直交する方向に向くように前記移動側コネクタを係止する係止部と、前記取付部材が前記取付面に固定される場合、前記取付部材の回動にともなって、前記移動側コネクタが前記係止部によって係止された向きから嵌合方向に向きを漸次変化させるようにガイドする移動ガイド部と、を有し、前記係止部は、前記移動側コネクタの下端縁の一端を中心に該下端縁の他端が回動するように前記一端を引っ掛けて係止する移動小側係止部と、前記他端に根元が当接されることによって前記移動側コネクタ嵌合部が前記取付側の面に対して直交する方向に向くように前記移動側コネクタを係止し、かつ、前記他端の回動範囲を規制する移動範囲規制爪部が形成された略Ｌ字状に前記取付側の面から突出された移動大側係止部とを有してなることを特徴とする。
【０００８】
上述した課題を解決し、目的を達成するために、本発明の請求項２に係るコネクタの固定構造は、端子が保持され、嵌合方向が取付面に直交するように固定されてなる固定側コネクタと、前記端子に接続される相手端子が保持されてなる移動側コネクタが移動可能に取り付けられ、一端縁部に設けられたアーム部を支軸として回動されて前記取付面に固定される板状の取付部材とを有し、該取付部材が前記取付面に固定されることによって前記固定側コネクタと前記移動側コネクタとが嵌合されるコネクタの固定構造において、前記固定側コネクタとの嵌合部となる移動側コネクタ嵌合部が前記取付部材の取付側の面に対して直交する方向に向くように前記移動側コネクタを係止する係止部と、前記取付部材が前記取付面に固定される場合、前記取付部材の回動にともなって、前記移動側コネクタが前記係止部によって係止された向きから嵌合方向に向きを漸次変化させるようにガイドする移動ガイド部と、を有し、前記固定側コネクタは、前記移動側コネクタ嵌合部を囲うように形成されてなる囲い壁を備えてなる固定側コネクタ嵌合部を有してなり、前記移動ガイド部は、前記移動側コネクタ嵌合部の先端側両側部に突起された一対のガイド突起部と、前記囲い壁のうち前記一対のガイド突起部に向かい合い、かつ前記固定側コネクタ嵌合部の嵌入口よりも高く延出されてなる一対の延出側壁と、前記一対の延出側壁の各延出側壁に形成され、前記嵌入口に移動されるまでの間に前記移動側コネクタを嵌合方向に向くように前記一対のガイド突起部をガイドする一対のガイド溝部とを有してなることを特徴とする。
【０００９】
また、本発明の請求項３に係るコネクタの固定構造は、上記の発明において、前記一対のガイド溝部の各ガイド溝部は、前記嵌入口を拡大するように溝の内縁面を傾斜して形成されてなる傾斜面を有してなり、前記移動ガイド部は、前記一対のガイド突起部の各ガイド突起部が前記傾斜面に摺接されることによって前記移動側コネクタを嵌合方向に向くようにガイドすることを特徴とする。
【００１０】
また、本発明の請求項４に係るコネクタの固定構造は、上記の発明において、前記相手端子は、雌端子であり、前記端子は、前記固定側コネクタに保持された雌端子に着脱自在に取り付けされてなる雄端子であることを特徴とする。
また、上述した課題を解決し、目的を達成するために、本発明の請求項５に係るコネクタの固定構造は、端子が保持され、嵌合方向が取付面に直交するように固定されてなる固定側コネクタと、前記端子に接続される相手端子が保持されてなる移動側コネクタが移動可能に取り付けられ、一端縁部に設けられたアーム部を支軸として回動されて前記取付面に固定される板状の取付部材とを有し、該取付部材が前記取付面に固定されることによって前記固定側コネクタと前記移動側コネクタとが嵌合されるコネクタの固定構造において、前記固定側コネクタとの嵌合部となる移動側コネクタ嵌合部が前記取付部材の取付側の面に対して直交する方向に向くように前記移動側コネクタを係止する係止部と、前記取付部材が前記取付面に固定される場合、前記取付部材の回動にともなって、前記移動側コネクタが前記係止部によって係止された向きから嵌合方向に向きを漸次変化させるようにガイドする移動ガイド部と、を有し、前記係止部は、前記移動側コネクタの下端縁の一端を中心に該下端縁の他端が回動するように前記一端を係止する第一係止部と、前記他端の回動にともなって該他端に摺接され前記移動側コネクタが前記嵌合方向に向きを漸次変化するようになだらかな曲面を有する第二係止部と、を備えることを特徴とする。
【発明の効果】
【００１１】
本発明の請求項１または５に係るコネクタの固定構造は、前記移動側コネクタが前記係止部によって、前記移動側コネクタ嵌合部が前記取付部材の取付側の面に対して直交する方向に向くように係止され、前記取付部材の回動にともなって、前記移動ガイド部によって嵌合方向に向きを漸次変化されるので、前記取付部材が回動される前は、前記移動側コネクタが嵌合方向に対して大きく傾斜された状態とされ、前記取付部材のアーム部が前記取付面に組み付けられる際、無理に嵌合されることを防止できる。しかも、前記取付部材が回動完了されると、前記移動側コネクタ嵌合部が前記取付部材の取付側の面に対して直交する方向に向くことになり、前記移動側コネクタが前記係止部によって再び係止されることになるので、前記係止部が前記移動側コネクタを複数の姿勢に係止可能に構成される必要がない。このため、簡易な構成、かつ端子が損傷されることを防止することができる。
【００１２】
本発明の請求項２に係るコネクタの固定構造は、前記移動側コネクタの一対のガイド突起部が、前記固定側コネクタの前記ガイド溝部にガイドされて前記移動側コネクタの向きが変化されるようになっているので、前記移動側コネクタと前記固定側コネクタとの接触部分を少なくして前記移動側コネクタの向きを変化させることができるので、前記移動側コネクタの向きを滑らかに変化させることができる。
【００１３】
本発明の請求項３に係るコネクタの固定構造は、一対のガイド突起部の各ガイド突起部が前記嵌入口を拡大するように溝の内縁面を傾斜して形成されてなる傾斜面に摺接されることによって前記移動側コネクタを嵌合方向に向くようにガイドされるので、各ガイド突起部が前記傾斜面に当接されることによって各ガイド溝部に滑らかに嵌め込まれ、結果的に前記移動側コネクタの向きを滑らかに変化させることができる。
【００１４】
本発明の請求項４に係るコネクタの固定構造は、前記端子が前記固定側コネクタに保持された雌端子に着脱自在に取り付けされてなる雄端子であるので、ジョイントコネクタなしで前記雄端子を前記雌端子に接続させることができる。
【図面の簡単な説明】
【００１５】
【図１】図１は、本発明の実施例に係るコネクタの固定構造が組み込まれたサンバイザーユニットを示した分解斜視図である。
【図２】図２は、図１に示したコネクタの固定構造を示した斜視図である。
【図３】図３は、図２に示したコネクタの固定構造を後方から視た斜視図である。
【図４】図４は、図１に示したコネクタの固定構造の上面図である。
【図５】図５は、図４に示したコネクタの固定構造のＣ−Ｃ線断面図である。
【図６】図６は、図１に示した固定側コネクタハウジングを拡大した斜視図である。
【図７】図７は、図１に示した取付部材と、取付部材に取り付けされた移動側コネクタとを示した図である。
【図８】図８は、取付部材が取付面に固定される手順を示した図である。
【図９】図９は、取付部材が取付面に固定される手順を示した図である。
【図１０】図１０は、取付部材が取付面に固定される手順を示した図である。
【図１１】図１１は、取付部材が取付面に固定される手順を示した図である。
【図１２】図１２は、取付部材が取付面に固定される手順を示した図である。
【図１３】図１３は、取付部材が取付面に固定される手順を示した図である。
【図１４】図１４は、取付部材が取付面に固定される手順を示した図である。
【図１５】図１５は、取付部材が取付面に固定される手順を示した図である。
【発明を実施するための形態】
【００１６】
以下、図面を参照して、本発明に係るコネクタの固定構造の実施の形態について詳細に説明する。
【実施例】
【００１７】
図１は、本発明の実施例に係るコネクタの固定構造１が組み込まれたサンバイザーユニット４００を示した分解斜視図である。図２は、図１に示したコネクタの固定構造１を示した斜視図である。図３は、図２に示したコネクタの固定構造１を後方から視た斜視図である。図４は、図１に示したコネクタの固定構造１の上面図である。図５は、図４に示したコネクタの固定構造１のＣ−Ｃ線断面図である。図６は、図１に示した固定側コネクタハウジング２０を拡大した斜視図である。図７は、図１に示した取付部材８０と、取付部材８０に取り付けされた移動側コネクタ５０とを示した図である。
なお、便宜上、図中矢印方向を上下左右前後方向とする。
本発明の実施例のコネクタの固定構造１は、例えば、自動車に設けられるサンバイザーユニット４００に組み込まれ、図１に示すように、サンバイザー４０１に設けられた照明付き鏡の照明の電気接続部となるものでる。
【００１８】
コネクタの固定構造１は、雄端子２３ａが保持され、嵌合方向が取付面２１０に直交するように固定されてなる固定側コネクタ１０と、雄端子２３ａに接続される雌端子６１ａが保持されてなる移動側コネクタ５０が移動可能に取り付けられ、一端縁部に設けられたアーム部８１を支軸として回動されて取付面２１０に固定される板状の取付部材８０とを有し、取付部材８０が取付面２１０に固定されることによって固定側コネクタ１０と移動側コネクタ５０とが嵌合されるようになっている。
なお、サンバイザーユニット４００は、車体内部の骨格を形成する骨格パネル２００の車内側の面が取付面２１０とされ、骨格パネル２００に保持され、この骨格パネル２００と重なる天井パネル３００に対しても保持されるようになっている。
【００１９】
まず、骨格パネル２００について説明する。
骨格パネル２００は、パネル開口部２２０と、取付部材固定部２３０と、アーム位置決め部２４０とを有してなる。
パネル開口部２２０は、固定側コネクタ１０の後述する上側突出片部２６ａが当接されるまで挿通可能に形成された開口である。
取付部材固定部２３０は、取付部材８０を固定させる部分であり、不図示のボルトが挿通されるボルト挿通孔２３０ａを有してなる。このボルト挿通孔２３０ａと、取付部材８０に形成されたボルト挿通孔８３ａとに、ボルトが挿通され、不図示のナットを用いて締結されることによって取付部材８０が骨格パネル２００に固定されるようになっている。
アーム位置決め部２４０は、取付部材８０のアーム部８１が所定位置に位置決めされるようにアーム部８１の形状に対応して切り欠かれた切り欠き部分である。
【００２０】
次に、天井パネル３００について説明する。
天井パネル３００は、図１に示すように、後述する固定側コネクタハウジング２０の下部が挿通されるように形成されたコネクタ挿通用開口部３１０を有してなる。このコネクタ挿通用開口部３１０は、後述する各下側突出片部２６ｂが挿通されるように一対の切り欠き部３１０ａが形成されている。
【００２１】
次に、固定側コネクタ１０について説明する。
固定側コネクタ１０は、本体部となる固定側コネクタハウジング２０を有してなる。
固定側コネクタハウジング２０は、絶縁性の樹脂からなり、略矩形状の天井壁２１と、天井壁２１の左右両側縁に立設された一対の延出側壁２２を有してなる。この一対の延出側壁２２は、後述する囲い壁２５の一部をなし、後述する移動ガイド部１００として機能するようになっている。
この固定側コネクタハウジング２０は、固定側コネクタハウジング２０内の上部に複数の雄端子２３ａが保持される端子保持部２３、および移動側コネクタ５０と嵌合される部分となる固定側コネクタ嵌合部２４を有してなる。
【００２２】
端子保持部２３は、電線Ｗに接続された複数の雌端子２３ｂが保持されるようになっており、これら雌端子２３ｂに対して着脱自在に雄端子２３ａが接続されるようになっている。この雄端子２３ａは、いわゆるジョイント型の端子である。
なお、この実施例では雄端子２３ａがジョイント型の端子であるものを例示したが、これに限らず、圧着あるいは圧接端子を用いても構わない。
【００２３】
固定側コネクタ嵌合部２４は、図５に示すように、移動側コネクタ５０の後述する移動側コネクタ嵌合部６２の外周面を囲うように形成された壁である囲い壁２５を有してなる。
この固定側コネクタ嵌合部２４の底部２４ａは天井壁２１によって形成され、下端部が移動側コネクタ５０の嵌入口２５ａになっている。雄端子２３ａの相手端子との接続部２３ａａは、天井壁２１を貫通されて固定側コネクタ嵌合部２４内に突出されるようになっている。
【００２４】
また、固定側コネクタハウジング２０は、天井挟み込み部２６を有し、この天井挟みこみ部２６によって天井パネル３００に組み付けられるようになっている。
この天井挟み込み部２６は、図６に示すように、上側突出片部２６ａおよび下側突出片部２６ｂを有してなる。
上側突出片部２６ａは、一対の延出側壁２２の各延出側壁２２の外面に片状に突設されてなる。この上側突出片部２６ａは、各延出側壁２２の前後の２箇所に間隔を空けて並んで配置されている。
下側突出片部２６ｂは、上側突出片部２６ａに比して下方、かつ上側突出片部２６ａと平行に、各延出側壁２２の外面に片状に突設されてなる。
このような固定側コネクタ１０は、各下側突出片部２６ｂが各切り欠き部３１０ａに挿通されるように固定側コネクタハウジング２０の下部がコネクタ挿通用開口部３１０に挿通され、さらに固定側コネクタハウジング２０がスライドされることによって天井パネル３００に組み付けられるようになっている。
【００２５】
また、固定側コネクタハウジング２０は、取付部材８０が取付面２３０に固定される場合、取付部材８０の移動にともなって、移動側コネクタ５０が後述する係止部９０によって係止された向きから嵌合方向に向きを漸次変化させるようにガイドする移動ガイド部１００としての一対の延出側壁２２と、一対のガイド溝部３０とを有してなる。
【００２６】
一対の延出側壁２２は、囲い壁２５のうち後述する一対のガイド突起部６３に向かい合い、かつ固定側コネクタ嵌合部２４の嵌入口２５ａよりも高く延出されてなる壁である。
【００２７】
一対のガイド溝部３０は、移動側コネクタ５０が固定側コネクタ嵌合部２４の嵌入口２５ａに移動されるまでの間に嵌合方向に向くようにガイドする溝である。この一対の一対のガイド溝部３０は、後述する一対のガイド突起部６３が嵌め合わされるように各延出側壁２２に形成されてなる。
各ガイド溝部は、嵌入口２５ａを拡大するように溝の内縁面が傾斜された傾斜面３０ａを有してなる。後述する各ガイド突起部６３が各傾斜面３０ａに摺接されることによって移動側コネクタ５０が嵌合方向に向きを漸次変化させるようにガイドされるようになっている。
【００２８】
また、固定側コネクタハウジング２０は、取付部材８０を係止する固定ハウジング側係合部３１を有してなる。
この固定ハウジング側係合部３１は、取付部材８０が取付完了位置で回動されないように固定側コネクタハウジング２０に係止させる鉤状の係合部である。
【００２９】
次に、取付部材８０について説明する。
取付部材８０は、絶縁材料からなる板状部材であり、雄端子２３ａに接続される雌端子６１ａが保持されてなる移動側コネクタ５０が移動可能に取り付けられ、一端縁部に設けられたアーム部８１を支軸として回動されて取付面２１０に固定されるものである。
【００３０】
アーム部８１は、取付部材８０の取付側の面８０ａ（以下、部材取付側面という。）に鉤状に屈曲されるようにして突設されてなる。
【００３１】
また、取付部材８０は、取付部材側係合部８２と、固定部８３と、サンバイザー取付部８４と、係止部９０とを有してなる。
取付部材側係合部８２は、固定ハウジング側係合部３１と係合されることによって取付部材８０が回動完了位置で固定側コネクタハウジング２０に係止されるように設けられた鉤状の係合部である。
固定部８３は、骨格パネル２００に取付部材８０を固定させる部分であり、不図示のボルトが挿通されるボルト挿通孔８３ａを有してなる。このボルト挿通孔８３ａと、骨格パネル２００に形成されたボルト挿通孔２３０ａとに不図示のボルトが挿通され、締結されることによって取付部材８０が骨格パネル２００に固定されるようになっている。
サンバイザー取付部８４は、部材取付側面８０ａに筒状に突設された部分であり、筒内にサンバイザー４０１の支持部４０１ａが挿通されることによって、サンバイザー４０１が保持され部分である。
【００３２】
係止部９０は、固定側コネクタ１０との嵌合部となる移動側コネクタ嵌合部６２が取付部材８０の部材内側面８０ａに対して直交する方向に向くように移動側コネクタ５０を係止する部分である。
この係止部９０は、移動小側係止部９１および移動大側係止部９２を有してなる。
【００３３】
移動小側係止部９１は、部材取付側面８０ａから鉤状に突出された部分であり、その先端部に移動側コネクタ５０の後述する引掛り部６４に引っ掛かるように突起された引掛り突起部９１ａを有してなる。
この移動小側係止部９１は、移動側コネクタ５０が回動と同様にして移動されるように、その回動中心側としての下端縁６０ａ（以下、移動小側下端縁という。）を支持する部分である。
移動小側下端縁６０ａは、移動小側係止部９１によって移動量が小さくなるようにその移動が規制される。
【００３４】
移動大側係止部９２は、部材内側面からほぼＬ字状に突出された部分であり、部材取付側面８０ａに立設された立設部９２ａと、立設部９２ａの上端部から移動側コネクタ５０が取り付けられる側に向けて屈曲されてなる移動範囲規制爪部９２ｃとを有してなる。
【００３５】
立設部９２ａは、移動側コネクタが回動と同様にして移動されるように、回動中心側から離れた側の下端縁６０ｂ（以下、移動大側下端縁という。）に摺接される部分である。
この立設部９２ａは、移動小側下端縁６０ａの移動量に比して移動大側下端縁６０ｂの移動量が大きくなるようにその高さが設定されている。
また、立設部９２ａは、移動ガイド部１００としての機能も有している。より具体的には、立設部９２ａは、移動大側下端縁６０ｂに摺接される摺接面９２ｂが移動側コネクタ５０が嵌合方向に向きを漸次変化させるようになだらかな曲面形状をなしている。
【００３６】
移動範囲規制爪部９２ｃは、移動側コネクタ５０に形成された後述する爪部挿通孔６５内に挿通され、孔内底面６５ａに当接されることによって移動側コネクタ５０の移動を規制するものである。
このような係止部９０によって、移動側コネクタ５０の移動小側下端縁６０ａが移動小側係止部９１に引っ掛かり、移動大側下端縁６０ｂが移動大側係止部９２の立設部９２ａの根元に当接されて、移動側コネクタ嵌合部６２が部材取付側面８０ａに対して直交する方向に向くように係止される。
【００３７】
次に、移動側コネクタ５０について説明する。
移動側コネクタ５０は、絶縁性の樹脂からなり、本体部となる移動側コネクタハウジング６０を有してなる。
移動側コネクタハウジング６０は、移動側コネクタハウジング６０内に複数の雌端子６１ａが保持される雌端子保持部６１と、固定側コネクタ嵌合部２４と嵌合される移動側コネクタ嵌合部６２と、一対のガイド突起部６３と、引掛り部６４と、爪部挿通孔６５とを有してなる。
【００３８】
移動側コネクタ嵌合部６２は、固定側コネクタ嵌合部２４と嵌合されることによって、雌端子６１ａを固定側コネクタ１０の雄端子２３ａに接続させる部分ある。
この移動側コネクタ嵌合部６２は、全体としてほぼ直方体形状をなし、先端側に各雄端子２３ａの接続部２３ａａが挿通可能な複数の端子挿通孔６２ａが形成されている。
【００３９】
一対のガイド突起部６３は、取付部材８０が取付面２１０に固定される場合、移動ガイド部１００として機能する部分である。
この一対のガイド突起部６３は、移動側コネクタ嵌合部６２の先端側両側部６２ｂ，６２ｂに突起された部分である。各ガイド突起６３が各ガイド溝部３０の傾斜面３０ａに摺接されることによって移動側コネクタ５０が嵌合方向に向けられるようになっている。
【００４０】
引掛り部６４は、移動小側係止部９１が引っ掛かるように移動側コネクタハウジング６０の移動小側下端縁６０ａに突出して設けられた部分である。
【００４１】
爪部挿通孔６５は、移動側コネクタハウジング６０の移動大側下端縁６０ｂ周辺に形成された孔である。この爪部挿通孔６５は、取付部材８０の移動範囲規制爪部９２ｃが孔内底面６５ａに当接されることによって移動側コネクタ５０の移動を規制するものである。
【００４２】
ここで、取付部材８０を取付面２１０に固定させる手順を図７−図１４を用いて説明する。
図８−図１５は、取付部材８０が取付面２１０に固定される手順を示した図である。
なお、図中、上側の図は、図４に示したサンバイザーユニット４００のＢ−Ｂ線断面図を示し、下側の図は、図４に示したサンバイザーユニット４００のＣ−Ｃ線断面図であり、取付部材８０が上図と同様な取り付け状態になっている。
【００４３】
まず、作業者は、取付部材８０のアーム部８１を骨格パネル２００のアーム位置決め部２４０に嵌めこむ（図８参照）。この状態において移動側コネクタ５０は嵌合方向に対して最大に傾いた状態で取付部材８０に係止されている。
【００４４】
その後、作業者は、取付部材８０をアーム部８１を支軸として回動開始させる（図９参照）。このように取付部材８０の回動が開始されると、一対のガイド突起部６３が傾斜面に当接され、移動側コネクタ５０が嵌合方向に向けられるようにガイドが開始される。
【００４５】
その後、作業者は、取付部材８０をさらに回動させる（図１０参照）。移動側コネクタ５０が係止部９０によって係止された向きから、漸次嵌合方向に向けられていく。より具体的には、移動側コネクタ５０の移動大側下端縁６２ｂが立設部９２ａの摺接面９２ｂに摺接されつつ、移動側コネクタ嵌合部６２の先端側両側部６２ｂにある一対のガイド突起部６３が傾斜面３０ａに摺接開始される。
【００４６】
その後、作業者は、取付部材８０をさらに回動させる（図１１参照）。このように取付部材８０がさらに回動されると、移動側コネクタ５０が嵌合方向に向けられ、移動側コネクタ嵌合部６２が固定側コネクタ嵌合部２４に対して直線的に移動されて嵌合できる向きになる。なお、移動範囲規制爪部９２ｃが爪部挿通孔６５内で孔内底面６５ａに当接されるので、移動側コネクタ５０の移動が規制されている（図１１（ｂ）参照）。
【００４７】
その後、作業者は、取付部材８０をさらに回動させる（図１２参照）。このように取付部材８０がさらに回動されると、固定側コネクタ１０と移動側コネクタ５０との嵌合が開始される。この際、移動側コネクタ嵌合部６２が固定側コネクタ嵌合部２４に対して直線的に移動開始される。また、取付部材８０が移動側コネクタ５０が係止部９０によって係止されていた位置に戻すように、すなわち、移動側コネクタ嵌合部６２が部材取付側面８０ａに対して直交する方向に向けくように取付部材８０が回動される。
【００４８】
その後、作業者は、取付部材８０をさらに回動させることによって固定側コネクタ１０と移動側コネクタ５０との嵌合が完了される（図１３−図１５参照）。固定側コネクタ１０と移動側コネクタ５０との嵌合が完了されると、移動側コネクタ５０は、移動側コネクタ嵌合部６２が取付部材８０の部材取付側面８０ａに対して直交する方向に向けられた状態となり、係止部９０によって再び係止される（図１５参照）。
また、固定ハウジング側係合部３１と、取付部材側係合部８２とが係合されることによって取付部材８０が固定側コネクタ１０に係止される。
なお。最後にボルト挿通孔８３ａ，２３０ａに、不図示のボルトが挿通され、不図示のナットを用いて締結されることによって取付部材８０が骨格パネル２００に確実に固定される。
【００４９】
本発明の実施例に係るコネクタの固定構造１は、移動側コネクタ５０が係止部９０によって、移動側コネクタ嵌合部６２が取付部材５０の部材取付側面８０ａに対して直交する方向に向くように係止され、取付部材８０の回動にともなって、移動ガイド部１００によって嵌合方向に向きを漸次変化されるので、取付部材８０が回動される前は、移動側コネクタ５０が嵌合方向に対して大きく傾斜された状態とされ、取付部材８０のアーム部８１が取付面２１０に組み付けられる際、無理に嵌合されることを防止できる。しかも、取付部材８０が回動完了されると、移動側コネクタ嵌合部６２が取付部材８０の部材取付側面８０ａに対して直交する方向に向くことになり、移動側コネクタ５０が係止部９０によって再び係止されることになるので、係止部９０が移動側コネクタを複数の姿勢に係止可能に構成される必要がない。このため、簡易な構成、かつ端子が損傷されることを防止することができる。
【００５０】
また、本発明の実施例に係るコネクタの固定構造１は、移動側コネクタ５０の一対のガイド突起部６３が、固定側コネクタ１０のガイド溝部３０にガイドされて移動側コネクタ５０の向きが変化されるようになっているので、移動側コネクタ５０と固定側コネクタ１０との接触部分を少なくして移動側コネクタ５０の向きを変化させることができるので、移動側コネクタ５０の向きを滑らかに変化させることができる。
【００５１】
また、本発明の実施例に係るコネクタの固定構造１は、一対のガイド突起部６３の各ガイド突起部６３が嵌入口を拡大するように溝の内縁面を傾斜して形成されてなる傾斜面３０ａに摺接されることによって移動側コネクタ５０を嵌合方向に向くようにガイドされるので、各ガイド突起部６３が傾斜面３０ａに当接されることによって各ガイド溝部３０に滑らかに嵌め込まれ、結果的に移動側コネクタ５０の向きを滑らかに変化させることができる。
【００５２】
また、本発明の実施例に係るコネクタの固定構造１は、雄端子２３ａが固定側コネクタ１０に保持された雌端子２３ｂに着脱自在に取り付けされてなるので、ジョイントコネクタなしで雄端子２３ａを雌端子２３ｂに接続させることができる。
【００５３】
なお、本発明の実施例に係るコネクタの固定構造１は、骨格パネル２００の取付面２１０に固定されるものを例示したが、これに限らず、その他の取付先の面に固定されるようにしても構わない。
【００５４】
また、本発明の実施例に係るコネクタの固定構造１は、固定側コネクタ１０に雄端子２３ａが保持され、移動側コネクタ５０に雌端子６１ａが保持されるものを例示したが、これに限らず、固定側コネクタ１０に雌端子が保持され、移動側コネクタ５０に雄端子が保持されるようにしても構わない。
【００５５】
以上、本発明者によってなされた発明を、上述した発明の実施例に基づき具体的に説明したが、本発明は、上述した発明の実施例に限定されるものではなく、その要旨を逸脱しない範囲において種々変更可能である。
【符号の説明】
【００５６】
１        コネクタの固定構造
１０      固定側コネクタ
２０      固定側コネクタハウジング
２１      天井壁
２２      延出側壁
２３      端子保持部
２３ａ    雄端子
２３ａａ  接続部
２３ｂ    雌端子
２４      固定側コネクタ嵌合部
２４ａ    底部
２５      囲い壁
２５ａ    嵌入口
２６      天井挟み込み部
２６ａ    上側突出片部
２６ｂ    下側突出片部
３０      ガイド溝部
３０ａ    傾斜面
３１      固定ハウジング側係合部
５０      移動側コネクタ
６０      移動側コネクタハウジング
６０ａ    移動小側下端縁
６０ｂ    移動大側下端縁
６１      雌端子保持部
６１ａ    雌端子
６２      移動側コネクタ嵌合部
６２ａ    端子挿通孔
６２ｂ    先端側両側部
６３      ガイド突起部
６４      引掛り部
６５      爪部挿通孔
６５ａ    孔内底面
８０      取付部材
８０ａ    部材取付側面
８１      アーム部
８２      取付部材側係合部
８３      固定部
８３ａ    ボルト挿通孔
８４      サンバイザー取付部
９０      係止部
９１      移動小側係止部
９１ａ    引掛り突起部
９２      移動大側係止部
９２ａ    立設部
９２ｂ    摺接面
９２ｃ    移動範囲規制爪部
１００    移動ガイド部
２００    骨格パネル
２１０    取付面
２２０    パネル開口部
２３０    取付部材固定部
２３０ａ  ボルト挿通孔
２４０    アーム位置決め部
３００    天井パネル
３１０    コネクタ挿通用開口部
３１０ａ  切り欠き部
４００    サンバイザーユニット
４０１    サンバイザー
４０１ａ  支持部
Ｗ        電線
【図１】
0005966223.tif 000002
【図２】
0005966223.tif 000003
【図３】
0005966223.tif 000004
【図４】
0005966223.tif 000005
【図５】
0005966223.tif 000006
【図６】
0005966223.tif 000007
【図７】
0005966223.tif 000008
【図８】
0005966223.tif 000009
【図９】
0005966223.tif 000010
【図１０】
0005966223.tif 000011
【図１１】
0005966223.tif 000012
【図１２】
0005966223.tif 000013
【図１３】
0005966223.tif 000014
【図１４】
0005966223.tif 000015
【図１５】
0005966223.tif 000016